(57)【要約】【課題】  現地域で受信可能なチャンネルを示すチャンネルリストを短時間で作成するデジタル放送受信装置、デジタル放送受信プログラム、およびデジタル放送受信方法を提供する。【解決手段】  デジタル放送受信装置は、チャンネルリストの作成の際、ユーザが選局可能となる物理チャンネルのみを一覧とした第１段階目のチャンネルリストを優先的に作成し（ステップＳ５１〜Ｓ５３）、多重分離処理によって得られるＰＳＩ／ＳＩに含まれる固有情報の登録を当該物理チャンネルに対する選局動作に応じて実施する（ステップＳ５５〜Ｓ５７）。このようにチャンネルリストの作成を２段階に分けて作成することによって、受信可能なチャンネルをユーザに提示して選局できるようになるまでの時間を大幅に短縮できる。【選択図】  図２
2006157818.tif 000002
【特許請求の範囲】
【請求項１】
受信可能なチャンネル候補の一覧として設定されるチャンネルリストから選局されたチャンネルのデジタル放送を受信するデジタル放送受信装置であって、
チャンネルに応じた周波数の多重化信号を受信する受信部と、
前記受信部が受信した多重化信号をトランスポートストリームに復調する復調部と、
前記復調部が復調したトランスポートストリームに含まれる固有情報を分離して抽出する多重分離部と、
前記受信部が受信するチャンネルを指定して当該チャンネルの信号が前記受信部で受信可能であるとき、受信可能なチャンネルを前記チャンネルリストに登録する選局制御部と、
前記チャンネルリストを記憶するチャンネルリスト記憶部とを備え、
前記選局制御部は、前記受信可能なチャンネルのみの一覧で作成されたチャンネルリスト、または当該チャンネルリストに登録された一部のチャンネルに対して当該チャンネルの多重化信号を復調したトランスポートストリームから前記多重分離部が抽出した固有情報を登録したチャンネルリストに基づいて、選局を行うことを特徴とする、デジタル放送受信装置。
【請求項２】
前記選局制御部は、前記受信可能なチャンネルのみの一覧で前記チャンネルリストを作成した後、所定の条件に応じて当該チャンネルリストに登録されたチャンネルから１つのチャンネルを選択して、当該チャンネルの前記固有情報をチャンネルリストに登録することを特徴とする、請求項１に記載のデジタル放送受信装置。
【請求項３】
前記選局制御部は、前記受信可能なチャンネルのみの一覧からユーザに選択させることによって、前記１つのチャンネルを選択することを特徴とする、請求項２に記載のデジタル放送受信装置。
【請求項４】
前記選局制御部は、前記受信部が受信するチャンネルを指定して当該チャンネルの信号が前記受信部で受信可能であるとき、最初に抽出された受信可能なチャンネルの前記固有情報をチャンネルリストに登録することを特徴とする、請求項１に記載のデジタル放送受信装置。
【請求項５】
前記選局制御部は、前記復調部が多重化信号を復調する処理で得られる情報を用いて、指定したチャンネルの信号が受信可能であることを検出することを特徴とする、請求項１に記載のデジタル放送受信装置。
【請求項６】
前記選局制御部は、前記チャンネルリストに基づいて選局された際、当該選局されたチャンネルの前記固有情報をチャンネルリストに追加登録することを特徴とする、請求項１に記載のデジタル放送受信装置。
【請求項７】
前記固有情報は、少なくとも放送されている地域を示す受信地域情報を含んでおり、
前記選局制御部は、既に当該チャンネルリストに登録されている固有情報が示す受信地域に対して、前記追加登録する固有情報が示す受信地域が同じまたは隣接関係にないとき、新たに登録する固有情報および前記選局されたチャンネルを別のチャンネルリストとして前記チャンネルリスト記憶部に記憶させることを特徴とする、請求項６に記載のデジタル放送受信装置。
【請求項８】
前記選局制御部は、指定したチャンネルの信号が前記受信部で受信不可能であるとき、所定の終了条件を満たすまで当該チャンネルに対する前記受信部の受信状況の確認を継続することを特徴とする、請求項１に記載のデジタル放送受信装置。
【請求項９】
受信可能なチャンネル候補の一覧として設定されるチャンネルリストから選局されたチャンネルのデジタル放送を受信するデジタル放送受信装置のコンピュータに実行されるデジタル放送受信プログラムであって、
前記コンピュータに、
受信する周波数を指定されたチャンネルに応じて設定する受信ステップと、
前記受信ステップで指定したチャンネルの多重化信号が受信可能であるとき、受信可能なチャンネルを前記チャンネルリストに登録する登録ステップと、
前記チャンネルリストを前記デジタル放送受信装置が有する記憶部に記憶させるチャンネルリスト記憶ステップと、
前記受信可能なチャンネルのみの一覧で作成され前記記憶部に記憶されたチャンネルリスト、または前記登録ステップでチャンネルリストに登録された一部のチャンネルに対して当該チャンネルの多重化信号を復調したトランスポートストリームから分離して抽出した固有情報を登録して前記記憶部に記憶させたチャンネルリストに基づいて、選局を行う選局ステップとを実行させる、デジタル放送受信プログラム。
【請求項１０】
受信可能なチャンネル候補の一覧として設定されるチャンネルリストから選局されたチャンネルのデジタル放送を受信するデジタル放送受信方法であって、
受信する周波数を指定されたチャンネルに応じて設定する受信ステップと、
前記受信ステップで指定したチャンネルの多重化信号が受信可能であるとき、受信可能なチャンネルを前記チャンネルリストに登録する登録ステップと、
前記チャンネルリストを記憶するチャンネルリスト記憶ステップと、
前記受信可能なチャンネルのみの一覧で作成されたチャンネルリスト、または前記登録ステップでチャンネルリストに登録された一部のチャンネルに対して当該チャンネルの多重化信号を復調したトランスポートストリームから分離して抽出した固有情報を登録したチャンネルリストに基づいて、選局を行う選局ステップとを含む、デジタル放送受信方法。
【発明の詳細な説明】
【技術分野】
【０００１】
本発明は、デジタル放送受信装置、デジタル放送受信プログラム、およびデジタル放送受信方法に関し、より特定的には、デジタル放送を視聴しながら移動可能な携帯型や車両等の移動体に搭載されるデジタル放送受信装置、当該デジタル放送受信装置に実行されるデジタル放送受信プログラム、およびデジタル放送受信方法に関する。
【背景技術】
【０００２】
従来、地域密着のローカルな県域放送等を受信するデジタル放送受信装置は、放送局が伝送する放送信号を所定の周波数で送信する親局や、親局からの受信電波を増幅し再送信する中継局からの放送波をアンテナにより受信し、受信した放送波を復調／多重分離／復号して放送局の送信するコンテンツをユーザに提示する。したがって、ユーザは、視聴したい放送局に割り当てられた周波数（以下、チャンネルと記載する）を予め知っている必要がある。また、ユーザは、視聴を行う地域で複数のチャンネルを視聴しようとする場合、当該地域で受信可能な複数のチャンネル（以下、チャンネルグループと記載する）を把握しておく必要がある。一般的には、上記地域のチャンネルグループと各チャンネルの放送局名とを組み合わせた情報（以下、チャンネルリストと記載する）を予めデジタル放送受信装置が有する不揮発メモリに格納しておき、当該チャンネルリストからユーザが１つのチャンネルを選択して所望の放送局を受信することで、ユーザの操作の簡略化を行っている（例えば、特許文献１参照）。
【０００３】
家庭内に固定的に設置して視聴する据置型のデジタル放送受信装置においては、新たにデジタル放送受信装置を設置したり、他の地域に引っ越し等で移動したりした場合に、新たなチャンネルリストの設定が必要となる。具体的には、デジタル放送受信装置は、デジタル放送のチャンネルを順番に走査し、デジタル放送が受信できたチャンネルのデジタルデータに内包されるＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）から固有情報を獲得してチャンネルリストを作成する。ここで、据置型のデジタル放送受信装置の場合、上述した場合の初期設定としてチャンネルリストが設定されるため、チャンネルリストを設定する回数が極めて少ない。
【０００４】
一方、デジタル放送を視聴しながら移動可能な携帯型や車両等の移動体に搭載されるデジタル放送受信装置においては、移動が頻繁に発生する。ここで、放送局が使用するチャンネルは地域毎に異なることがあるため、デジタル放送受信装置を移動させることによって受信地域が変わる場合、移動前の受信地域で設定したチャンネルリストが移動後の受信地域で使えない事象が生じる。この場合、デジタル放送受信装置では、移動先地域におけるチャンネルリストを再作成する。
【０００５】
また、受信地域が変わった際のチャンネルスキャンを簡単に行う提案がなされている（例えば、特許文献２参照）。特許文献２で開示された携帯端末装置では、ＧＰＳや携帯電話の基地局（携帯電話にテレビ受信機能を搭載して携帯端末装置を構成する場合）によって当該携帯端末装置が位置する現在位置を特定する。そして、上記携帯端末装置は、予め記憶してある地域毎（例えば、受信地域毎）の複数のチャンネルリストから、上記現在位置を含む地域に関するチャンネルリストを選択して使用する。
【特許文献１】特開２００１−１９７３８９号公報
【特許文献２】特開２００３−３０９７７４号公報
【発明の開示】
【発明が解決しようとする課題】
【０００６】
しかしながら、デジタル放送受信装置のチャンネルリストの作成においては、全チャンネルを順番に走査して放送が受信できたチャンネルのデジタルデータに内包されるＰＳＩ／ＳＩから固有情報を獲得してチャンネルリストを作成する。したがって、チャンネルリストを作成して、当該チャンネルリストに基づいた受信可能なチャンネルをユーザに提示して選局および視聴できるようになるまでに、長時間が必要となる。
【０００７】
一方、上記特許文献２で開示された携帯端末装置では、移動する可能性のある全ての地域毎のチャンネルリストを記憶するメモリが必要になり、利用できる記憶容量に制限があることが多い携帯型のデジタル放送受信装置では実現に困難が生じる。また、チャンネルリストが準備された地域であっても、デジタル放送受信装置における受信環境に応じて受信できないチャンネルもあり、その場合チャンネルリストが受信可能なチャンネルの一覧とはならない。
【０００８】
それ故に、本発明の目的は、現地域で受信可能なチャンネルを示すチャンネルリストを短時間で作成するデジタル放送受信装置、デジタル放送受信プログラム、およびデジタル放送受信方法を提供することである。
【課題を解決するための手段】
【０００９】
上記目的を達成するために、本発明は、以下に述べるような特徴を有している。
第１の発明は、チャンネルリストから選局されたチャンネルのデジタル放送を受信するデジタル放送受信装置である。チャンネルリストは、受信可能なチャンネル候補の一覧として設定される。デジタル放送受信装置は、受信部、復調部、多重分離部、選局制御部、およびチャンネルリスト記憶部を備える。受信部は、チャンネルに応じた周波数の多重化信号を受信する。復調部は、受信部が受信した多重化信号をトランスポートストリームに復調する。多重分離部は、復調部が復調したトランスポートストリームに含まれる固有情報を分離して抽出する。選局制御部は、受信部が受信するチャンネルを指定してそのチャンネルの信号が受信部で受信可能であるとき、受信可能なチャンネルをチャンネルリストに登録する。チャンネルリスト記憶部は、チャンネルリストを記憶する。選局制御部は、受信可能なチャンネルのみの一覧で作成されたチャンネルリスト、またはそのチャンネルリストに登録された一部のチャンネルに対してそのチャンネルの多重化信号を復調したトランスポートストリームから多重分離部が抽出した固有情報を登録したチャンネルリストに基づいて、選局を行う。
【００１０】
第２の発明は、上記第１の発明において、選局制御部は、受信可能なチャンネルのみの一覧でチャンネルリストを作成した後、所定の条件に応じてそのチャンネルリストに登録されたチャンネルから１つのチャンネルを選択して、そのチャンネルの固有情報をチャンネルリストに登録する。
【００１１】
第３の発明は、上記第２の発明において、選局制御部は、受信可能なチャンネルのみの一覧からユーザに選択させることによって、１つのチャンネルを選択する。
【００１２】
第４の発明は、上記第１の発明において、選局制御部は、受信部が受信するチャンネルを指定してそのチャンネルの信号が受信部で受信可能であるとき、最初に抽出された受信可能なチャンネルの固有情報をチャンネルリストに登録する。
【００１３】
第５の発明は、上記第１の発明において、選局制御部は、復調部が多重化信号を復調する処理で得られる情報を用いて、指定したチャンネルの信号が受信可能であることを検出する。
【００１４】
第６の発明は、上記第１の発明において、選局制御部は、チャンネルリストに基づいて選局された際、その選局されたチャンネルの固有情報をチャンネルリストに追加登録する。
【００１５】
第７の発明は、上記第６の発明において、固有情報は、少なくとも放送されている地域を示す受信地域情報を含んでいる。選局制御部は、既にそのチャンネルリストに登録されている固有情報が示す受信地域に対して、追加登録する固有情報が示す受信地域が同じまたは隣接関係にないとき、新たに登録する固有情報および選局されたチャンネルを別のチャンネルリストとしてチャンネルリスト記憶部に記憶させる。
【００１６】
第８の発明は、上記第１の発明において、選局制御部は、指定したチャンネルの信号が受信部で受信不可能であるとき、所定の終了条件を満たすまでそのチャンネルに対する受信部の受信状況の確認を継続する。
【００１７】
第９の発明は、デジタル放送受信装置のコンピュータに実行されるデジタル放送受信プログラムである。デジタル放送受信装置は、チャンネルリストから選局されたチャンネルのデジタル放送を受信する。チャンネルリストは、受信可能なチャンネル候補の一覧として設定される。デジタル放送受信プログラムは、受信ステップ、登録ステップ、チャンネルリスト記憶ステップ、および選局ステップをコンピュータに実行させる。受信ステップは、受信する周波数を指定されたチャンネルに応じて設定する。登録ステップは、受信ステップで指定したチャンネルの多重化信号が受信可能であるとき、受信可能なチャンネルをチャンネルリストに登録する。チャンネルリスト記憶ステップは、チャンネルリストをデジタル放送受信装置が有する記憶部に記憶させる。選局ステップは、受信可能なチャンネルのみの一覧で作成され記憶部に記憶されたチャンネルリスト、または登録ステップでチャンネルリストに登録された一部のチャンネルに対してそのチャンネルの多重化信号を復調したトランスポートストリームから分離して抽出した固有情報を登録して記憶部に記憶させたチャンネルリストに基づいて、選局を行う。
【００１８】
第１０の発明は、チャンネルリストから選局されたチャンネルのデジタル放送を受信するデジタル放送受信方法である。チャンネルリストは、受信可能なチャンネル候補の一覧として設定される。デジタル放送受信方法は、受信ステップ、登録ステップ、チャンネルリスト記憶ステップ、および選局ステップを含む。受信ステップは、受信する周波数を指定されたチャンネルに応じて設定する。登録ステップは、受信ステップで指定したチャンネルの多重化信号が受信可能であるとき、受信可能なチャンネルをチャンネルリストに登録する。チャンネルリスト記憶ステップは、チャンネルリストを記憶する。選局ステップは、受信可能なチャンネルのみの一覧で作成されたチャンネルリスト、または登録ステップでチャンネルリストに登録された一部のチャンネルに対してそのチャンネルの多重化信号を復調したトランスポートストリームから分離して抽出した固有情報を登録したチャンネルリストに基づいて、選局を行う。
【発明の効果】
【００１９】
上記第１の発明によれば、チャンネルリストの作成の際、ユーザが選局可能となるチャンネルの一覧またはその一部のチャンネルに対する固有情報が登録されたチャンネルリストを優先的に作成することによって、チャンネルリストに記述される全てのチャンネルに対する固有情報を抽出する必要がないため、受信可能なチャンネルをユーザに提示して選局できるようになるまでの時間を大幅に短縮できる。
【００２０】
上記第２の発明によれば、チャンネルリストの作成の際、ユーザが選局可能となるチャンネルのみを一覧とした第１段階目のチャンネルリストを優先的に作成し、固有情報の登録を第２段階目に実施する。このようにチャンネルリストの作成を２段階に分けて作成することによって、受信可能なチャンネルをユーザに提示して選局できるようになるまでの時間を大幅に短縮できる。
【００２１】
上記第３の発明によれば、ユーザによって選択されたチャンネルに対して固有情報が登録されるため、ユーザが視聴するための選局動作等と連動して固有情報を取得することができる。
【００２２】
上記第４の発明によれば、最初にチャンネルリストに登録するチャンネルに対して固有情報も登録されるため、チャンネルリスト作成の初期段階から固有情報に基づいた管理を行うことができる。固有情報が放送サービスエリアを示す情報を含んでいる場合、作成するチャンネルリストが対象とする地域を管理することができる。例えば、チャンネルリスト作成中にデジタル放送受信装置の電源がＯＦＦされたり、地域を移動したりしても初期段階で地域が登録されるため、動作エラーを防止することができる。
【００２３】
上記第５の発明によれば、復調処理の際に得られる情報を用いて受信の可否を判断するため、確実に指定したチャンネルが受信可能か否かを判断することができる。
【００２４】
上記第６の発明によれば、チャンネルリストの作成において、選局動作における多重分離処理によって得られる固有情報をチャンネルリストに追加登録するため、チャンネルリストに登録される固有情報が選局に応じて充実することができる。
【００２５】
上記第７の発明によれば、同じチャンネルリスト内で異なる放送地域で取得した固有情報が記述されることを防止することができ、放送地域毎のチャンネルリストとして管理することができる。
【００２６】
上記第８の発明によれば、指定チャンネルに対して複数回受信状況を確認するため、短時間で正確な受信状況に基づくチャンネルリストの作成が可能となる。
【００２７】
また、本発明のデジタル放送受信プログラムおよびデジタル放送受信方法によれば、上述したデジタル放送受信装置と同様の効果を得ることができる。
【発明を実施するための最良の形態】
【００２８】
（第１の実施形態）
図１を参照して、本発明の第１の実施形態に係るデジタル放送受信装置について説明する。なお、図１は、当該デジタル放送受信装置の構成を示すブロック図である。なお、典型的には、本実施形態で説明するデジタル放送受信装置は、デジタル放送を視聴しながら移動可能な携帯型や車両等の移動体に搭載される受信装置である。また、本実施形態の説明においては、当該デジタル放送受信装置が受信するデジタル放送として、電波産業会（ＡＲＩＢ）が規定する地上デジタルテレビジョン放送の携帯向けサービス（以下、１セグメント放送と記載する）を一例として説明する。１セグメント放送の詳細については、ＡＲＩＢが発行する各種資料、例えば「地上デジタルテレビジョン放送運用規定  技術資料  ＡＲＩＢ  ＴＲ−ｂ１４」に記載されており、ここでは詳細な説明を省略する。
【００２９】
図１において、デジタル放送受信装置１は、アンテナ２、チューナ部３、復調部４、多重分離部５、復号部６、出力部７、選局部８、チャンネルリスト記憶部９、地域情報記憶部１０、および操作部１１を備えている。チューナ部３は、アンテナ２を介して選局部８から出力される指示ＣＳに応じて指示された周波数の電波の多重化信号を受信して、復調部４へ出力する。復調部４は、チューナ部３が出力する多重化信号に対して、ＡＧＣ（自動利得制御）やＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）復調、キャリア復調、ビタビ復号等を行って、トランスポートストリームＴＳを出力する。多重分離部５は、トランスポートストリームＴＳから映像／音声ストリームやＮＩＴ（Ｎｅｔｗｏｒｋ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）を分離して出力する。復号部６は、映像／音声ストリームを復号して出力部７に出力する。出力部７は、例えば映像を表示するモニタや音声を再生するスピーカであり、復号部６や選局部８からの情報を出力する。選局部８は、操作部１１を用いてユーザが操作した指示信号に応じて、所定の地域で受信可能な複数のチャンネルとそれぞれのチャンネルの放送局名とを組み合わせた選局可能な一覧情報（以下、チャンネルリストと記載する）の作成を行ったり選局したりする。チャンネルリスト記憶部９は、選局部８が作成したチャンネルリストを記憶する。地域情報記憶部１０は、デジタル放送における各受信エリア等の地域間の隣接関係を示す情報を予め記憶する。操作部１１は、ユーザの操作に応じて、チャンネルリスト表示指示、選局指示、チャンネルリスト作成指示等を示す信号を選局部８に通知する。
【００３０】
デジタル放送受信装置１は、アンテナ２で放送電波を受け、放送局毎に割り当てられた所定の周波数にチューナ部３を同調させることで所望の放送局を選択して多重化信号を受信する。放送電波は、ＯＦＤＭ方式で伝送されており、復調部４でＡＧＣやＯＦＤＭ復調、キャリア復調、ビタビ復号等を行って、トランスポートストリームＴＳに復調される。ここで、地上デジタルテレビジョン放送では、１チャンネルの周波数帯域を１３個のセグメントに分割し、セグメントのグループ毎に変調方式を変えることが可能となっている。例えば、１２セグメントを固定受信用、１セグメントを携帯端末用に割り当て、携帯端末用の１セグメントを移動に強いＱＰＳＫ方式で変調することにより移動中のテレビ受信が可能となっている。復調部４で復調されたトランスポートストリームＴＳは、映像／音声／データ等が多重化されており、多重分離部５にてトランスポートストリームＴＳから映像と音声とを分離して復号部６へ出力し、ＰＳＩ／ＳＩを分離して選局部８に出力する。そして、復号部６で分離された映像の復号および音声の復号を行う。復号された映像や音声は、出力部７にてユーザに提示される。具体的には、出力部７は、映像を液晶ディスプレイ等のモニタに表示し、音声を内蔵または外部スピーカから出力する。
【００３１】
また、復調部４は、ＡＧＣやＯＦＤＭ復調、キャリア復調、ビタビ復号等の処理から得られる復調状態情報ＤＩを選局部８に出力する。例えば、復調状態情報ＤＩは、ＡＧＣの利得情報、ＯＦＤＭ復調のＯＦＤＭフレーム同期確立に関する情報等である。選局部８は、復調状態情報ＤＩを用いてチューナ部３が受信中のチャンネルの受信状態を検出することができる。選局部８は、復調状態情報ＤＩとして復調処理の前段で得られる情報（例えばＡＧＣの利得情報）を用いた方がより早く情報を取得できる反面、復調処理の後段の情報（例えばＯＦＤＭフレーム同期確立の情報）も含めた方がより正確にチューナ部３の受信状態を把握することができる。典型的には、デジタル放送受信装置１は、ＣＰＵ（セントラルプロセッサユニット）および記憶部を有しており、当該記憶部に格納されたデジタル放送受信プログラムをＣＰＵが実行することによって、後述するチャンネルリストの作成動作（特に、復調部４、多重分離部５、復号部６、選局部８の動作）が行われる。
【００３２】
次に、図２〜図５を参照して、デジタル放送受信装置１がチャンネルリストを作成する動作について説明する。なお、図２は、デジタル放送受信装置１がチャンネルリストを作成する動作を示すフローチャートである。図３は、図２におけるステップＳ５１のチャンネルリスト作成処理の詳細な動作を示すサブルーチンである。図４および図５は、図２に示す動作において作成されるチャンネルリストの具体例を説明するための図である。
【００３３】
図２において、例えばユーザが操作部１１を操作してチャンネルリスト作成指示をデジタル放送受信装置１へ入力することによって、チャンネルリスト作成処理を開始する。なお、デジタル放送受信装置１におけるデジタル放送の受信状態が所定の閾値以下に悪化したことを検出して、自動的にチャンネルリスト作成を開始してもかまわない。
【００３４】
チャンネルリスト作成が指示されると、選局部８は、１セグメント放送が放送される可能性のある全物理チャンネルに対する現時点の受信状況に基づいて、チャンネルリストを作成し（ステップＳ５１）、処理を次のステップＳ５２に進める。ここで、物理チャンネルとは、例えば１セグメント放送の場合、ＵＨＦ帯の１３〜６２チャンネルの１チャンネル毎を示しており、各物理チャンネルに対する放送の周波数は予め一意に設定されチューナ部３が記憶している。図３を参照して、上記ステップＳ５１のチャンネルリスト作成処理の詳細な動作について説明する。
【００３５】
図３において、選局部８は、上記物理チャンネルから所望のチャンネルを選択し、当該チャンネルを受信する指示ＣＳをチューナ部３に出力し（ステップＳ６１）、処理を次のステップに進める。そして、チューナ部３は、指示ＣＳに応じたチャンネルに周波数を合わせて受信を行う。ここで、所望のチャンネルとは、物理チャンネルとして設定されている１３〜６２チャンネルの何れか１つであり、例えば、上記ステップＳ６１を繰り返す度に１３〜６２チャンネルの間を１チャンネルずつ順次チャンネルが変化していくものとする。
【００３６】
次に、選局部８は、復調部４から通知される復調状態情報ＤＩをチェックして、上記ステップＳ６１で選択した物理チャンネルがチューナ部３において受信可能なチャンネルか否かを判断する（ステップＳ６２）。そして、選局部８は、受信可能チャンネルと判断した場合、処理を次のステップＳ６３に進める。一方、選局部８は、受信不可能チャンネルと判断した場合、処理を次のステップＳ６４に進める。復調状態情報ＤＩとしては、上述したようなＡＧＣの利得情報やＯＦＤＭ復調のＯＦＤＭフレーム同期確立に関する情報であり、上記ステップＳ６２において判断に用いる情報は、それらを組み合わせた情報であってもいいし、何れか一方の情報でもかまわない。例えば、チューナ部３に周波数を設定後、所定の時間が経過しても復調部４においてＯＦＤＭフレーム同期が確立されない場合、選局部８は、当該周波数のチャンネルを受信不可能チャンネルと判断する。一方、所定の時間内に同期が確立された場合、選局部８は、当該チャンネルを受信可能チャンネルと判断する。
【００３７】
ステップＳ６３において、選局部８は、受信可能と判断した物理チャンネルをチャンネルリストに記述してチャンネルリスト記憶部９に記憶させる。次に、選局部８は、１３〜６２チャンネルまで全ての物理チャンネルに対して、上記ステップＳ６１〜Ｓ６３の処理が行われたか否かを判断する。そして、選局部８は、処理されていない物理チャンネルが残っている場合、上記ステップＳ６１に戻って処理を繰り返す。一方、選局部８は、全物理チャンネルの処理が終了している場合、当該サブルーチンによる処理を終了する。
【００３８】
図２に戻り、ステップＳ５２において、選局部８は、チャンネルリストの作成を終了するか否かを出力部７を用いてユーザに問い合わせる。そして、選局部８は、チャンネルリストの作成を終了しない場合、処理を次のステップＳ５３に進める。一方、選局部８は、チャンネルリストの作成を終了する場合、処理を次のステップＳ５４に進める。例えば、選局部８は、ユーザが操作部１１を操作することによってチャンネルリストの作成を終了する指示が入力された場合、チャンネルリストの作成を終了すると判断する。また、選局部８は、ユーザが操作部１１を操作することによってチャンネルリストの作成を継続する指示が入力された場合、または所定時間内にユーザからの指示が入力されない場合、チャンネルリストの作成を終了しないと判断する。
【００３９】
ステップＳ５３において、選局部８は、チャンネルリストに登録されていない物理チャンネルに対する現時点の受信状況を検出し、受信可能と判断した物理チャンネルをチャンネルリストに記述する。そして、選局部８は、上記ステップＳ５２に戻って処理を繰り返す。つまり、上記ステップＳ５３と上記ステップＳ５１とは、ほぼ同様の処理が行われるが、それらの相違点は、ステップＳ５１では全物理チャンネルに対して受信状況を検出することに対して、ステップＳ５３ではチャンネルリストに未登録の物理チャンネルに対する受信状況を検出する点である。例えば、上記ステップＳ５１の処理中にデジタル放送受信装置１がトンネル内等の受信環境が悪い場所に配置されている場合、当該ステップでは配置されている地域で選局可能なチャンネルリストが作成できない。このような問題点を解決するために、ユーザがチャンネルリストの作成を終了する指示を入力するまで上記ステップＳ５３の処理を繰り返しながら受信環境が良化することを期待することによって、当該地域で選局可能なチャンネルリストを作成することができる。
【００４０】
一方、ステップＳ５４において、選局部８は、上記ステップＳ５１またはステップＳ５３で作成したチャンネルリストを出力部７のモニタに表示してユーザに選局を促し、処理を次のステップに進める。図４は、５つの受信可能な物理チャンネルが登録されたチャンネルリストの表示例である。図４において、チャンネルの欄に括弧で記された数字は、受信可能な物理チャンネルを示している。なお、上記ステップＳ５４の処理時点では、多重分離部５から出力されるＰＳＩ／ＳＩ情報を受け取っていないため、各物理チャンネルに対するそれぞれの放送局名および受信地域は未調査であることが示される。しかしながら、上記チャンネルリストは、物理チャンネルのみ記述された一覧であるものの、デジタル放送受信装置１が現在配置されている地域において受信可能な物理チャンネルの一覧を示しており、ユーザは、当該チャンネルリストを用いて選局を行うことができる。
【００４１】
次に、選局部８は、操作部１１を介してモニタ表示されたチャンネルリストから選択されたユーザ所望のチャンネルの選局指定を受け取り、当該チャンネルを受信するためのチューナ部３の周波数を合わせる指示ＣＳを出力する（ステップＳ５５）。そして、選局部８は、選局指定されたチャンネルの固有情報を取得し（ステップＳ５６）、当該固有情報をチャンネルリストに記述してチャンネルリスト記憶部９に記憶させ（ステップＳ５７）、当該フローチャートによる処理を終了する。
【００４２】
ここで、操作部１１からの選局指示に応じて、選局部８がステップＳ５５においてチューナ部３の周波数を合わせた場合、受信した放送電波が復調部４でトランスポートストリームＴＳに復調される。そして、多重分離部５は、トランスポートストリームＴＳから映像／音声ストリームおよびＰＳＩ／ＳＩを分離する処理を行い、ＰＳＩ／ＳＩを選局部８に出力する。選局部８は、ステップＳ５６において受け取ったＰＳＩ／ＳＩを用いてチャンネルリストに必要な固有情報を抽出し、ステップＳ５７において選局指定されたチャンネルに対して放送局名、受信地域、およびチャンネル番号をチャンネルリストに追記する。
【００４３】
例えば、選局部８は、ＮＩＴから受信中のチャンネルのｒｅｍｏｔｅ＿ｃｏｎｔｒｏｌ＿ｋｅｙ＿ｉｄおよびｓｅｒｖｉｃｅ＿ｉｄを抽出し、ＳＤＴから編成チャンネル名を抽出する。そして、選局部８は、編成チャンネル名を選局指定されたチャンネルの放送局名としてそのままチャンネルリストに記述する。また、選局部８は、ｒｅｍｏｔｅ＿ｃｏｎｔｒｏｌ＿ｋｅｙ＿ｉｄおよびｓｅｒｖｉｃｅ＿ｉｄを用いてＡＲＩＢで定められた３桁番号に変換し、当該３桁番号を選局指定されたチャンネルのチャンネル番号としてチャンネルリストに記述する。さらに、選局部８は、ｓｅｒｖｉｃｅ＿ｉｄに含まれている情報を解析して、その解析結果を選局指定されたチャンネルを受信した受信地域としてチャンネルリストに記述する。
【００４４】
図５は、図４に示したチャンネルリストに対して１つの物理チャンネル（１５）の固有情報を記述したチャンネルリストの一例である。図５において、チャンネルリストの物理チャンネル（１５）に対して、チャンネルの欄にチャンネル番号「６１１」、放送局名の欄に放送局名「Ａ放送」、および受信地域の欄に受信地域「京都」が記述されている。このように、受信可能な物理チャンネルの一覧と共に、選局指定された物理チャンネルにおけるＰＳＩ／ＳＩから取得したチャンネルの３桁番号、放送局名、および受信地域を示す固有情報が少なくとも１つ登録されたチャンネルリストが作成される。
【００４５】
図２に示したフローチャットに基づいてチャンネルリスト作成後、ユーザは当該チャンネルリストに記述された各物理チャンネルを選択して選局を行うことができる。具体的には、操作部１１を介してユーザがチャンネルＵｐ／Ｄｏｗｎ指示を入力することによってチャンネルリストに記述された物理チャンネルが順次切り替えたり、表示したチャンネルリストの一覧からユーザに所望のチャンネルを選択したりする。この選局操作により、操作部１１から選局部８に選局指示が出力される。選局指示を受けた選局部８は、所望の物理チャンネルにチューナ部３の周波数を合わせる。この選局操作に応じて、デジタル放送受信装置１は、上述したステップＳ５５〜Ｓ５７と同様の動作を行う。つまり、当該選局操作に応じた物理チャンネルにおけるＰＳＩ／ＳＩを取得し、当該物理チャンネルに対するチャンネルの３桁番号、放送局名、および受信地域を示す固有情報がさらに登録されたチャンネルリストが作成される。
【００４６】
図６は、図５に示したチャンネルリストに対してさらに２つの物理チャンネル（２７）および（４１）の固有情報を記述したチャンネルリストの一例である。図６において、チャンネルリストの物理チャンネル（２７）に対して、チャンネルの欄にチャンネル番号「６２１」、放送局名の欄に放送局名「Ｂテレビ」、および受信地域の欄に受信地域「京都」が記述されている。また、チャンネルリストの物理チャンネル（４１）に対して、チャンネルの欄にチャンネル番号「６６１」、放送局名の欄に放送局名「Ｃ放送」、および受信地域の欄に受信地域「大阪」が記述されている。このように、チャンネルリスト作成後の選局操作に応じて、チャンネルリストに記述される登録情報が徐々に増えていく。
【００４７】
ここで、選局部８は、選局操作に応じて受信地域を解析してチャンネルリストに記述する際、チャンネルリストに登録済の他チャンネルに対する受信地域と比較して、２つの受信地域が同じあるいは隣接関係にあるかチェックする。なお、選局部８は、２つの受信地域が隣接関係にあるか否かの判断を、地域情報記憶部１０に格納された地域情報を用いて行う。例えば、図６に示したチャンネルリストでは、「京都」または「大阪」が記述され互いに隣接関係または同じ受信地域が登録されており、全て近畿地方に含まれている。このチャンネルリストに対して、上記選局操作によって受信地域「東京」を示すチャンネルが選局された場合、選局部８は、「東京」と「京都」または「大阪」とは隣接関係にないと判断する。また、選局部８は、「東京」が含まれる「関東地方」と「京都」または「大阪」を含む「近畿地方」とも隣接関係にないと判断する。したがって、選局部８は、図６に示すチャンネルリストを作成した地域とは異なる放送サービスエリアでデジタル放送を受信しており、当該チャンネルリストが現在の地域で選局可能なチャンネルリストではないと判断する。このような場合、選局部８は、出力部７を介してチャンネルリストの再作成を促すメッセージをユーザに通知する。または、選局部８は、新たに追記するチャンネル（すなわち、受信地域「東京」が判明した物理チャンネル）を別のチャンネルリストとして図６に示したチャンネルリストとは独立させて管理する。そして、選局部８は、独立させたチャンネルリストを完成させるために、上記ステップＳ５３（図２参照）からチャンネルリストの作成処理を開始する。
【００４８】
このように、本実施形態に係るデジタル放送受信装置によれば、チャンネルリストの作成の際、ユーザが選局可能となる物理チャンネルのみを一覧とした第１段階目のチャンネルリストを優先的に作成し、多重分離処理によって得られるＰＳＩ／ＳＩに含まれる固有情報の登録を当該物理チャンネルに対する選局動作に応じて実施する。このようにチャンネルリストの作成を２段階に分けて作成することによって、受信可能なチャンネルをユーザに提示して選局できるようになるまでの時間を大幅に短縮できる。
【００４９】
なお、復調状態情報ＤＩとして、ＡＧＣの利得情報やＯＦＤＭ復調のＯＦＤＭフレーム同期確立に関する情報を用いて説明したが、これらに限定されるものではなく、ＰＳＩ／ＳＩ情報を含まず、かつ、復調処理で得られる情報であれば他の情報を用いてもかまわない。
【００５０】
また、ＰＳＩ／ＳＩに含まれるＮＩＴおよびＳＤＴから３桁番号、編成チャンネル名、および受信地域を固有情報として抽出してチャンネルリストに登録する説明をしたが、これらに限定されるものではなく、ＰＳＩ／ＳＩから抽出される他の情報をチャンネルリストに記述する場合も、本発明は同様の効果を得ることができる。
【００５１】
また、デジタル放送受信装置１が受信するデジタル放送として、１セグメント放送の場合を説明したが、これに限定されるものではなく、デジタル放送全般に対して本発明が同様の効果を得ることができることは言うまでもない。
【００５２】
（第２の実施形態）
本発明の第２の実施形態に係るデジタル放送受信装置について説明する。なお、当該デジタル放送受信装置の構成は、図１を用いて第１の実施形態で説明したデジタル放送受信装置１と同様であるため、同一の構成要素には同一の参照符号を付して詳細な説明を省略する。また、当該デジタル放送受信装置がチャンネルリストを作成する全体の動作については、図２を用いて第１の実施形態で説明したフローチャートと同様であり、図２におけるステップＳ５１のチャンネルリスト作成処理の詳細な動作が異なるのみである。以下、図７を参照して、第２の実施形態における上記ステップＳ５１のチャンネルリスト作成処理の詳細な動作について説明する。なお、図７は、図２におけるステップＳ５１のチャンネルリスト作成処理の詳細な動作を示すサブルーチンである。
【００５３】
図７において、選局部８は、物理チャンネルから所望のチャンネルを選択し、当該チャンネルを受信する指示ＣＳをチューナ部３に出力し（ステップＳ７１）、処理を次のステップに進める。そして、チューナ部３は、指示ＣＳに応じたチャンネルに周波数を合わせて受信を行う。ここで、所望のチャンネルとは、物理チャンネルとして設定されている１３〜６２チャンネルの何れか１つであり、例えば、上記ステップＳ６１を繰り返す度に１３〜６２チャンネルの間を１チャンネルずつ順次チャンネルが変化していくものとする。
【００５４】
次に、選局部８は、復調部４から通知される復調状態情報ＤＩをチェックして、上記ステップＳ７１で選択した物理チャンネルがチューナ部３において受信可能なチャンネルか否かを判断する（ステップＳ７２）。そして、選局部８は、受信可能チャンネルと判断した場合、処理を次のステップＳ７３に進める。一方、選局部８は、受信不可能チャンネルと判断した場合、処理を次のステップＳ７７に進める。復調状態情報ＤＩは、上述した第１の実施形態を同様であるため、詳細な説明を省略する。
【００５５】
ステップＳ７３において、選局部８は、受信可能と判断した物理チャンネルをチャンネルリストに記述してチャンネルリスト記憶部９に記憶させる。そして、選局部８は、チャンネルリストに記述された少なくとも１つの物理チャンネルに対して、固有情報が記述されているか否かを判断する（ステップＳ７４）。そして、選局部８は、チャンネルリストに固有情報が記述されていない場合、処理を次のステップＳ７５に進める。一方、選局部８は、チャンネルリストの少なくとも１つのチャンネルに対して固有情報が記述されている場合、処理を次のステップＳ７７に進める。
【００５６】
ステップＳ７５において、選局部８は、現在選択されている物理チャンネルを受信するためのチューナ部３の周波数を合わせる指示ＣＳを出力し、当該チャンネルのＰＳＩ／ＳＩを多重分離部５から受け取って固有情報を取得する。そして、選局部８は、取得した固有情報をチャンネルリストに記述してチャンネルリスト記憶部９に記憶させ（ステップＳ７６）、処理を次のステップＳ７７に進める。これらステップＳ７５およびＳ７６の処理を行うことによって、受信可能な物理チャンネルの一覧と共に、選局指定された物理チャンネルにおけるＰＳＩ／ＳＩから取得したチャンネルの３桁番号、放送局名、および受信地域を示す固有情報が少なくとも１つ自動的に記述された図５に示すようなチャンネルリストが作成される。なお、上記ステップＳ７５およびＳ７６の処理については、上記ステップＳ５６およびＳ５７（図２参照）の処理と同様であるため、詳細な説明を省略する。
【００５７】
ステップＳ７７において、選局部８は、１３〜６２チャンネルまで全ての物理チャンネルに対して、上記ステップＳ７１〜Ｓ７６の処理が行われたか否かを判断する。そして、選局部８は、処理されていない物理チャンネルが残っている場合、上記ステップＳ７１に戻って処理を繰り返す。一方、選局部８は、全物理チャンネルの処理が終了している場合、当該サブルーチンによる処理を終了する。
【００５８】
このように、本実施形態に係るデジタル放送受信装置によれば、チャンネルリストの作成の際、ユーザが選局可能となる物理チャンネルを一覧とし、少なくとも１つのチャンネルに対してＰＳＩ／ＳＩに含まれるチャンネルの固有情報を記述した第１段階目のチャンネルリストを優先的に作成する。そして、その他の物理チャンネルに対しては、多重分離処理によってＰＳＩ／ＳＩから得られる固有情報の登録を当該物理チャンネルに対する選局動作に応じて実施する。このようにチャンネルリストの作成を２段階に分けて作成することによって、受信可能なチャンネルをユーザに提示して選局できるようになるまでの時間を大幅に短縮できる。また、第１段階目のチャンネルリストを作成した時点（図２におけるステップＳ５４の動作前）において、既にチャンネルリストを作成した放送サービスエリアが少なくとも１つ記述されているため、作成したチャンネルリストが対象とする地域を管理することができる。例えば、第１の実施形態における動作では、図２におけるステップＳ５５の選局を行う前にデジタル放送受信装置１の電源がＯＦＦされたり、ステップＳ５２でＹｅｓが選択された後からステップＳ５５の選局指定前に地域を移動したりすると、チャンネルリストが対象とする地域から離脱していることがあり、作成対象とした放送サービスエリアが不明となって動作エラーが発生する危険がある。しかしながら、第２の実施形態では、第１段階目のチャンネルリスト作成時点で作成対象とした地域が登録されるため、このような動作エラーを防止することができる。
【００５９】
なお、上記ステップＳ７４の動作では、判断条件として固有情報を登録したチャンネルを１つとすればよいが、複数にしてもかまわない。複数の固有情報の登録を条件とすることで、チャンネルリスト作成に要する時間の短縮の効果が小さくなるが、チャンネルリストを作成した放送サービスエリアを管理するための多くの情報を第１段階目のチャンネルリスト作成直後から取得することができる。
【産業上の利用可能性】
【００６０】
本発明に係るデジタル放送受信装置、デジタル放送受信プログラム、およびデジタル放送受信方法は、配置された地域で選局可能なチャンネルを選局できるまでの時間を大幅に短縮することができ、デジタル放送を視聴しながら移動可能な携帯型や車両等の移動体に搭載される装置等において有用である。
【図面の簡単な説明】
【００６１】
【図１】本発明の第１および第２の実施形態に係るデジタル放送受信装置の構成を示すブロック図
【図２】図１のデジタル放送受信装置１がチャンネルリストを作成する動作を示すフローチャート
【図３】本発明の第１の実施形態に係るステップＳ５１のチャンネルリスト作成処理の詳細な動作を示すサブルーチン
【図４】作成されるチャンネルリストの具体例
【図５】作成されるチャンネルリストの具体例
【図６】作成されるチャンネルリストの具体例
【図７】本発明の第２の実施形態に係るステップＳ５１のチャンネルリスト作成処理の詳細な動作を示すサブルーチン
【符号の説明】
【００６２】
１…デジタル放送受信装置
２…アンテナ
３…チューナ部
４…復調部
５…多重分離部
６…復号部
７…出力部
８…選局部
９…チャンネルリスト記憶部
１０…地域情報記憶部
１１…操作部
【図１】
2006157818.tif 000003
【図２】
2006157818.tif 000004
【図３】
2006157818.tif 000005
【図４】
2006157818.tif 000006
【図５】
2006157818.tif 000007
【図６】
2006157818.tif 000008
【図７】
2006157818.tif 000009